【事件の表示】
　平成　３年特許願第　８５２３６号「マルチウィンドウシステムにおけるウィンドウ表示制御装置」拒絶査定に対する審判事件［平成　４年１１月１０日出願公開、特開平　４−３１８６１９］について、次のとおり審決する。
【結　論】
　本件審判の請求は、成り立たない。
【理　由】
【１】本願発明
　本願は、平成３年４月１７日の出願であって、その請求項１に係る発明は、平成１１年２月８日付け及び平成１１年５月１７日付け手続補正書により補正された明細書及び図面の記載からみて、その特許請求の範囲の請求項１に記載された次のとおりのものと認める。
「【請求項１】表示画面上に複数のアイコンおよびウインドウが表示されるマルチウインドウシステムにおいて、
　画面上に存在するアイコンの一覧を作成するアイコンリスト作成手段と、
　前記アイコンリスト作成手段により作成されたアイコンリストを新たなウインドウを生成して表示するアイコンリスト表示手段と、
　前記アイコンリスト表示手段により表示されたアイコンリストの表示制御及び該アイコンリストの中からユーザによって指定されたアイコンの表示制御を行う表示制御手段と
　を備えたことを特徴とするマルチウインドウシステムにおけるウインドウ表示制御装置。」
【２】引用例記載の発明
　原査定の拒絶の理由に引用された特開平２ー４２５２４号公報（以下、「引用例」という。）には、その実施例及び図面第１〜３図を参酌すると、以下のとおりの記載が認められる。
(i)「産業上の利用分野
　本発明は、CRTの両面上の指定位置に、複数のウィンドウを重ね合わせて表示するマルチウィンドウ表示機能を有する表示装置に関するものである。」（第1頁右下欄第9〜13行）
(ii)「発明が解決しようとする課題
　しかしながら上記のような構成では、CRT38の画面上に複数のウィンドウが表示されており、前面のウィンドウがその後ろに表示されているウィンドウよりも大きく、完全に後ろのウィンドウを隠してしまう場合には、ウィンドウの前後関係がユーザにわからないだけでなく、隠れているウィンドウの存在すらわからない場合が生じる。また、この状態で後ろに隠れているウィンドウを開閉しようとすると、前面にあるウィンドウの大きさを小さくするか、移動させることによって、隠れているウィンドウの一部、または全部を画面上に表示させて確認した後、前述したウィンドウの開閉操作方法により、入力ポインティング装置で選択し、メニューを開いて開閉指示を出さなければならず、操作性の良さに欠けるという問題点を有していた。
　本発明はかかる点に鑑み、画面に表示された複数のウィンドウがいかなる大きさ、位置関係にあっても、ユーザが一目で画面上の全てのウィンドウ名を一覧でき、任意のウィンドウの開閉を容易におこなうことのできる操作性の優れたマルチウィンドウ表示機能を有するウィンドウ表示装置を提供することを目的とする。」（第2頁左下欄第10行〜右下欄第13行）
(iii)「作用
　本発明は前記した構成により、画面に表示された複数のウィンドウが、どのような大きさ、位置関係にあっても、ウィンドウの大きさを変更したり、あるいは移動を行なうことなく、画面上の全てのウィンドウ名を一覧表示することができ、更に任意のウィンドウの開閉を、その一覧表示より容易に行なうことができる。」（第3頁左上欄第11〜18行）
(iv)「実施例
　第1図は本発明の実施例におけるウィンドウ表示装置のブロック図を示すものである。第1図において、1は表示用データメモリ、2はCRTの画面上に表示される各ウィンドウの表示用データメモリ要素であり、図中a、b、c等のアルファベットによって指し示されている部分は、各ウィンドウの現時点における表示有効部分を表わしている。3はウィンドウの名前とウィンドウ開閉状態とウィンドウ回り位置関係とウィンドウのサイズ等を含んだウィンドウ制御ブロックであり、4は各ウィンドウごとのウィンドウ制御ブロック要素である。5はウィンドウ情報管理部であり、6はウィンドウ表示部である。7はフレームメモリであり、8はCRTである。9はウィンドウ開閉制御部であり、10は選択されたウィンドウの開閉指示情報を出すウィンドウ開閉選択指示部である。11は複数のウィンドウの名前を一覧表示するウィンドウ名一覧表示部である。
　第2図は本発明の実施例におけるウィンドウ名一覧表示によるウィンドウの開閉方法を示す図である。第2図において、21と23はフレームメモリであり、22はウィンドウ名一覧表示部11によって、フレームメモリ21上に表示されたウィンドウ名一覧表示である。」（第3頁左上欄第19行〜左下欄第3行）
(v)「以上のように、本実施例によれば、ウィンドウ名一覧表示部及びウィンドウ開閉制御部を設けることにより、ユーザが一目で画面上の全てのウィンドウ（前後関係により隠れたウィンドウも含む）の名前を一覧することができ、しかも任意のウィンドウの開閉指示も容易である。」（第4頁右上欄第17行〜左下欄第2行）
(vi)「発明の効果
　以上説明したように、本発明によれば、CRTの画面上に表示された複数のウィンドウがいかなる大きさ、位置関係で重ね合わされていても、ユーザは一目で画面上の全てのウィンドウ名を一覧することができ、更に画面上の任意のウィンドウの開閉をその一覧表より容易におこなうことができ、その実用的効果は大きい。」（第4頁左下欄第3〜10行）
【３】対比・判断
（対比）
　請求項１に記載された発明（以下、「本願発明」という。）と前記引用例に記載された発明とを対比すると、両者は、表示画面上に複数のアイコン或いはウインドウが表示されるマルチウインドウシステムであって、アイコンとウインドウに係わる表示は、いずれもグラフィカル・ユーザー・インターフェイス（以下、「ＧＵＩ」という。）の要素として共通するものである。
　したがって、両者は、以下のとおりの一致点及び相違点を有するものと認められる。
（一致点）
「表示画面上に複数のＧＵＩの要素が表示されるマルチウインドウシステムにおいて、
　画面上に存在するＧＵＩの要素の一覧を作成するＧＵＩの要素のリスト作成手段と、
　前記ＧＵＩの要素のリスト作成手段により作成されたＧＵＩの要素のリストを新たなウインドウを生成して表示するＧＵＩの要素のリスト表示手段と、
　前記ＧＵＩの要素のリスト表示手段により表示されたＧＵＩの要素のリストの表示制御及び該ＧＵＩの要素のリストの中からユーザによって指定されたＧＵＩの要素の表示制御を行う表示制御手段と
　を備えたマルチウインドウシステムにおけるウインドウ表示制御装置。」
（相違点）
　ＧＵＩの要素が、本願発明にあっては、アイコンであるのに対して、引用例にあっては、ウインドウである点。
（検討）
　前記相違点について検討すると、本願発明及び引用例に記載された発明は、いずれも画面上にはあるが見えないＧＵＩの要素があっても、ユーザがＧＵＩの要素を一覧で表示されたリストから当該ＧＵＩの要素のオープンや移動など何らかの作用を指示・指定することができるので、表示装置の画面を有効に利用できるとともに、マルチウインドウシステムにおけるＧＵＩの要素の管理、操作性を向上させることができるものであり、該ユーザの指示・指定に係わる機能として、両者間に作用効果上格別の差異を有するものとは認められない。そして、ＧＵＩの要素としてのアイコン或いはウインドウは周知であり、またこれを一覧として新たなウインドウを生成し表示することにより、このアイコン一覧を用いて指示・指定されたアイコンの表示制御を行うことも従来より見られる（例えば、特開平２ー２４０６８９号公報参照）ところであるから、このＧＵＩの要素として引用例に記載されたウインドウ（一覧）に代えてアイコン（一覧）となすことにより、本願発明のように構成することは当業者が容易になし得ることと認められる。
　また、本願発明による作用効果も、当業者が容易に予測し得るものであって格別のものとは認められない。
【４】むすび
　以上のとおりであって、本願の特許請求の範囲の請求項１に係る発明は、前記引用例に記載された発明及び周知の技術的事項に基づいて、当業者が容易に発明をすることができたものと認められるので、特許法第２９条第２項の規定により特許を受けることができない。
　よって、結論のとおり審決する。